(57)【要約】      （修正有）【課題】メモリスティックの携帯忘れ遺失・落下等による影響を防止できる小型携帯品を提供する。【解決手段】自動車キー等の小型携帯品の殻体の中にセーブユニットを設け、そのセーブユニットに接続されたＵＳＢコネクタを殻体から突出させ、ＵＳＢコネクタを隠蔽するカバーを着脱自在に備えた。【選択図】図１
0003110938.tif 000002
【実用新案登録請求の範囲】
【請求項１】
殻体と、その殻体の中に設けられたセーブユニットと、そのセーブユニットに接続され、前記殻体の外に突出されたＵＳＢコネクタと、前記ＵＳＢコネクタを隠蔽する着脱自在のカバーとを備えた小型携帯品。
【請求項２】
小型携帯品は、自動車用キー、車庫の電動シャッター用リモートコントローラ、又はドア電気錠解錠用キーカード収納体である請求項１の小型携帯品。
【請求項３】
小型携帯品は、自動車盗難防止用リモートコントローラであって、セーブユニットには自動車盗難防止用発振回路が接続されていることを特徴とする請求項１の小型携帯品。
【請求項４】
殻体は、上カバーと下カバーとから構成されている請求項１の小型携帯品。
【考案の詳細な説明】
【技術分野】
【０００１】
本考案は、データセーブ機能を内蔵した小型携帯品に関する。
ここで小型携帯品とは、衣服のポケットに収容できる大きさのものであり、例えば、自動車キー、自動車盗難防止用リモートコントローラ、車庫の電動シャッター用リモートコントローラ、ドア解錠用キーカード収納体等である。
【背景技術】
【０００２】
コンピュータのデータをセーブする媒体として用いられているメモリスティックやメモリカードは、小型であるから、データをセーブした後携帯して移動し、別のコンピュータでデータを読取り使用するのに便利である。そのため、ビジネスパーソンや学生の使用率がきわめて高い。
【特許文献１】特になし。
【考案の開示】
【考案が解決しようとする課題】
【０００３】
ところが、従来のメモリスティックやメモリカードは、小型であるがために、携帯忘れ、遺失・落下をし易いという欠点があり、大切なデータが利用できない、落下などに気がつかないなどの問題がある。
【０００４】
本考案は、上記事情に鑑みてなされたものであり、解決しようとする課題は、メモリスティックやメモリカードの携帯忘れや遺失・落下等による影響を防止できる小型携帯品を提供することにある。
【課題を解決するための手段】
【０００５】
本考案は、上記目的を達成するため、小型携帯品の殻体の中にセーブユニットを設け、そのセーブユニットにＵＳＢコネクタを接続してそのＵＳＢコネクタを前記殻体の外に突出し、ＵＳＢコネクタを隠蔽するカバーを着脱自在に装着したことを特徴としている。
上記殻体は、自動車キーの殻体、自動車盗難防止用リモートコントローラの殻体、又は電動シャッター用リモートコントローラの殻体であることを特徴としている。
【考案の効果】
【０００６】
日常携帯される小型携帯品の殻体の中にセーブユニットを設け、そのセーブユニットに接続されて殻体の外に突出されたＵＳＢコネクタを備えたので、小型携帯品自体をコンピュータに結合して、データの利用、セーブを行うことができ、しかも、車で出勤する時は必ず小型携帯品を携帯するからデータメディアの携帯忘れを防ぐことができる。
【考案を実施するための最良の形態】
【０００７】
次に、図面に基づいて本考案の実施の形態を説明する。図１は、本考案を自動車キーに適用した一実施例を示す斜視図、図２は、同実施例の分解斜視図、図３は、本考案を自動車盗難防止用又は電動シャッター用のリモートコントローラに適用した実施例の斜視図である。
【０００８】
図１の盗難防止機能付きキー２０は、基本的構成要素として殻体２１とキーロッド２２とを有する。殻体２１は上カバー２１１と下カバー２１２とからなり、一方に貫通したねじ２３を他方に捩じ込むことにより結合される。キーロッド２２は、その一端部を下カバー２１２の一端部に形成された溝に嵌合し、上下のカバー２１１，２１２で挟持した状態でキーロッド２２に貫通されたねじ２３により固定される。
【０００９】
上下のカバー２１１，２１２からなる殻体２１の中には、セーブユニット１０が収容され、そのセーブユニットは上カバーの下面に嵌合される防水ガスケット２６により被覆して保護されている。セーブユニット１０は基板１２にデータメディアとしてのメモリスティック又はメモリカード（図示省略）を有するほか、自動車盗難防止用の電磁波又はビームを発射する発振回路を有し、そのデータメディアと発振回路に電気的に接続されたＵＳＢコネクタ１１がセーブユニット１０に接続されている。
【００１０】
ガスケット２６の中央に設けられ、上カバー２１１の中央の孔２１１ａから突出されたボタン２６ａを押すと、発振回路が起動されて電磁波又はビームが発射されるようになっている。
【００１１】
そして、ＵＳＢコネクタ１１は、殻体２１の他端に設けてある孔から外に突出されていて、これをコンピュータのＵＳＢコネクタに接続可能である。この自動車キー２０のＵＳＢコネクタ１１は、殻体２１の他端側（キーロッドと反対側）に装着されるサイドカバー２４を着脱自在に結合することにより隠蔽されている。
【００１２】
図１，２において２５は、キーリングである。
上記構成により、自動車キーはＵＳＢコネクタ付きのセーブユニットを内蔵しているので、自動車で移動するときは、セーブユニットの携帯を忘れることがない。そして、カバー２４を外してＵＳＢコネクタをコンピュータに接続して、データの利用、セーブを行うことができる。また、コンピュータから自動車盗難防止用の発振データを直接書き替えることもできる。
【００１３】
図３のリモートコントローラ３０は、同様の殻体３１を有し、その中にリモートコントロール用制御回路３３を収容しており、殻体の表面に制御回路により各種の機能を選択的に動作させるための複数個の押しボタン式キー３４を有している。
【００１４】
また、殻体３１の少なくとも一側面に、例えば、ドア電気上の解錠用カード（キーカード）４０を挿入するための挿入溝３２が設けてあるほか、本考案に従って、セーブユニット（図示せず）と、そのセーブユニットに接続されたＵＳＢコネクタ１１が設けられ、ＵＳＢコネクタ１１は、サイドカバー３５により隠蔽されている。サイドカバー３５を取外すと突出しているＵＳＢコネクタをコンピュータに結合することができる。
必要によりキーリング３６を取付け、これに任意の鍵３７を吊り下げてもよい。
【００１５】
小型携帯品は、自動車用キー、車庫の電動シャッター用リモートコントローラ、キーカード収容体以外のものであってもよい。
【図面の簡単な説明】
【００１６】
【図１】本考案を自動車キーに適用した一実施例を示す斜視図。
【図２】図１の実施例の分解斜視図。
【図３】本考案を自動車盗難防止用又は電動シャッター用のリモートコントローラに適用した実施例の斜視図。
【符号の説明】
【００１７】
２０  盗難防止機能付き自動車キー
２１  殻体
２１１  上カバー
２１２  下カバー
２２  キーロッド
２４  サイドカバー
１０  セーブユニット
１１  ＵＳＢコネクタ
３０  リモートコントローラ
３１  殻体
３２  カード挿入溝
３３  制御回路
３４  押しボタン式キー
４０  キーカード
【図１】
0003110938.tif 000003
【図２】
0003110938.tif 000004
【図３】
0003110938.tif 000005